(57)【要約】【課題】インダクタのサイズを変更することなく、希望波チャネル信号の減衰量を抑えた状態で隣接チャネル信号を減衰させることができるトラップ回路を提供すること。【解決手段】インダクタ２３と、インダクタ２３に直列に接続された第１の容量２４と、インダクタ２３および第１の容量２４に対し並列に接続された第２の容量２５とを含む共振回路を備え、共振回路は、インダクタに対し並列に接続された第３の容量２６を含むよう構成した。【選択図】図２
2010124033.tif 000002
【特許請求の範囲】
【請求項１】
インダクタと、前記インダクタに直列に接続された第１の容量と、前記インダクタおよび前記第１の容量に対し並列に接続された第２の容量とを含む共振回路を備え、
前記共振回路は、前記インダクタに対し並列に接続された第３の容量を含むことを特徴とするトラップ回路。
【請求項２】
前記インダクタと前記第３の容量とによる共振周波数は、隣接チャネル信号周波数より高い周波数であり、
隣接チャネル信号周波数以下の周波数においては誘導性を有していることを特徴とする請求項１に記載のトラップ回路。
【請求項３】
前記インダクタが空芯コイルで構成されていることを特徴とする請求項１または請求項２に記載のトラップ回路。
【請求項４】
中間周波回路に用いられることを特徴とする請求項１から請求項３のいずれかに記載のトラップ回路。
【請求項５】
前記インダクタのインダクタンス値が調整可能であることを特徴とする請求項１から請求項４のいずれかに記載のトラップ回路。
【発明の詳細な説明】
【技術分野】
【０００１】
本発明は、妨害成分を減衰させるトラップ回路に係り、特にテレビジョンチューナの隣接チャネル信号のトラップ回路に関する。
【背景技術】
【０００２】
一般にテレビジョンチューナにおいては、希望波チャネル信号を受信した際に、その希望波チャネル信号の隣接チャネル信号が妨害成分となり、画面上にノイズ等が発生することが知られている。例えば、図７に示すように、テレビジョンチューナの同調点である希望波映像信号Ｐｎから離れるほど、チューナ周波数特性Ｆにより妨害成分の影響は少なくなるが、希望波映像信号Ｐｎに隣接した下隣接音声信号Ｓｎ−１は、希望波映像信号Ｐｎの近傍に位置しているため、チューナ周波数特性Ｆによる減衰量が少なく、妨害成分として希望波映像信号Ｐｎに影響を与えていた。このため、テレビジョンチューナには妨害成分を除去するためにトラップ回路が設けられている。
【０００３】
従来、上記したテレビジョンチューナの隣接チャネル信号のトラップ回路として、インダクタと容量との並列共振回路で構成したものが知られている（例えば、特許文献１参照）。このトラップ回路は、周波数変換回路の後段に配置され、中間周波数に周波数変換された希望チャネル信号の隣接チャネル信号にトラップ位置を合わせることにより、隣接チャネル信号を減衰させている。
【特許文献１】実用新案登録第３１０８７１４号公報
【発明の開示】
【発明が解決しようとする課題】
【０００４】
しかしながら、従来のトラップ回路は、インダクタと容量との並列共振回路で構成され、インダクタおよび容量のバランスでトラップ回路のＱ値を設定しているため、希望波チャネル信号の近傍に位置する隣接チャネル信号のみを減衰させることが困難となっていた。例えば、図８に示すように、トラップ回路により下隣接音声信号Ｓｎ−１の減衰量を増加させると、希望波映像信号Ｐｎも減衰してしまうという問題があった。
【０００５】
この問題を解決するために、図９に示すように、インダクタ３１と容量３３との並列共振回路において、インダクタ３１に対して直列に接続される容量３２を追加すると共に、インダクタ３１のＬ成分を大きくとる構成が考えられる。この構成により、共振周波数における減衰量を確保しつつトラップ帯域の幅を狭めて、隣接チャネル信号のみを減衰させることが可能となるが、中間周波帯域で使用可能なインダクタ３１にはサイズの限界があり、実質的にインダクタ３１のＬ成分を大きくとって共振周波数における減衰量を増加させることができないという問題があった。
【０００６】
本発明は、かかる点に鑑みてなされたものであり、インダクタのサイズを変更することなく、希望波チャネル信号の減衰量を抑えた状態で隣接チャネル信号を減衰させることができるトラップ回路を提供することを目的とする。
【課題を解決するための手段】
【０００７】
本発明のトラップ回路は、インダクタと、前記インダクタに直列に接続された第１の容量と、前記インダクタおよび前記第１の容量に対し並列に接続された第２の容量とを含む共振回路を備え、前記共振回路は、前記インダクタに対し並列に接続された第３の容量を含むことを特徴とする。
【０００８】
この構成によれば、インダクタに第１の容量が直列に接続されることによりトラップ帯域の幅が狭められ、インダクタに第３の容量が並列に接続されることにより第１の容量の影響を受けることなく減衰量を大きくとることができる。したがって、一定の減衰量を確保した状態でトラップ位置からの立ち上がりが急峻となるため、隣接チャネル信号が希望波チャネル信号の近傍に位置していても、トラップ位置を隣接チャネル信号に合わせることにより、希望波チャネル信号の減衰量を抑えた状態で、隣接チャネル信号を大きく減衰させることができる。
また、インダクタに第３の容量が並列に接続されることで、インダクタのＬ成分を大きくみせているため、インダクタのサイズを変更することなくＬ成分を大きくとることができる。
【０００９】
また本発明は、上記トラップ回路において、前記インダクタと前記第３の容量とによる共振周波数は、隣接チャネル信号周波数より高い周波数であり、隣接チャネル信号周波数以下の周波数においては誘導性を有していることを特徴とする。
【００１０】
この構成によれば、希望波チャネル信号の減衰量を抑えた状態で、希望波チャネル信号の低域側に隣接する下隣接チャネル信号だけを大きく減衰させることができる。
【００１１】
上記トラップ回路において、前記インダクタを空芯コイルで構成することができる。
【００１２】
また本発明は、上記トラップ回路において、中間周波回路に用いられることを特徴とする。
【００１３】
この構成によれば、中間周波回路において希望波チャネル信号の中心周波数に関わらず希望波チャネル信号が中間周波数に変換されるため、トラップ位置を調整することなく、隣接チャネルを減衰させることができる。
【００１４】
また本発明は、上記トラップ回路において、前記インダクタのインダクタンス値が調整可能であることを特徴とする。
【００１５】
この構成によれば、トラップ位置を調整すると共に、減衰量を調整することができる。
【発明の効果】
【００１６】
本発明によれば、インダクタのサイズを変更することなく、希望波チャネル信号の減衰量を抑えた状態で隣接チャネル信号を減衰させることができる。
【発明を実施するための最良の形態】
【００１７】
以下、本発明の実施の形態について添付図面を参照して詳細に説明する。図１は本発明の実施の形態に係るテレビジョンチューナのブロック図である。
【００１８】
図１に示すテレビジョンチューナ１において、図示しないアンテナ素子に受信された高周波信号は、アンテナ同調回路２において同調周波数成分が取り出される。アンテナ同調回路２を通過した高周波信号は、高周波増幅器３において増幅され、高周波同調回路４において同調周波数成分が取り出される。高周波同調回路４を通過した高周波信号は、局部発振器５から出力された局部発振信号と共にミキサ６に入力され、局部発振信号と掛け合わされて中間周波信号に周波数変換される。
【００１９】
ミキサ６で周波数変換された中間周波信号は、中間周波回路１１に出力され、中間周波回路１１のＩＦ同調回路１２においてＩＦ周波数成分が取り出される。ＩＦ同調回路１２を通過した中間周波信号は、中間周波増幅器１３において増幅され、トラップ回路１４で希望波映像信号に隣接する隣接チャネル信号等の妨害成分が除去される。トラップ回路１４を通過した中間周波信号は、後段の図示しない回路において希望波映像信号および希望波音声信号が取り出される。
【００２０】
図２を参照して、本発明の特徴部分であるトラップ回路について説明する。図２は、本実施の形態におけるトラップ回路の回路構成図である。
【００２１】
図２に示すように、トラップ回路１４は、入力端子２１と出力端子２２との間に形成された並列共振回路であり、インダクタ２３、第１のコンデンサ２４、第２のコンデンサ２５、第３のコンデンサ２６とを有して構成されている。インダクタ２３の一端には入力端子２１が接続されており、他端には第１のコンデンサ２４の一端が接続されている。
【００２２】
第１のコンデンサ２４の他端には出力端子２２が接続されており、インダクタ２３の一端および第１のコンデンサ２４の他端間にはインダクタ２３および第１のコンデンサ２４に対して並列に第２のコンデンサ２５が接続されている。また、インダクタ２３にはインダクタ２３に対して並列に第３のコンデンサ２６が接続され、インダクタ２３のＬ成分を大きくみせている。なお、本実施の形態においては、インダクタ２３として空芯コイルが用いられている。また、インダクタ２３と第３のコンデンサ２６とによる共振周波数は、隣接チャネル信号周波数よりも高域側であり、隣接チャネル信号周波数以下においては誘導性を有している。
【００２３】
図３および図４を参照して、図２に示すトラップ回路を回路モデルとしてトラップ特性をシミュレーションした結果について説明する。図３は、図２のトラップ回路（本発明）において第３のコンデンサ２６を除いたトラップ回路（比較例）の説明図であり、（ａ）は比較例の回路構成図、（ｂ）は比較例によるシミュレーション結果をそれぞれ示している。なお、比較例を構成する回路素子は図２に示す回路素子と同一の符号を付して説明する。
【００２４】
最初に、図３に示す比較例によるシミュレーション結果について説明する。なお、比較例に係るトラップ回路１６を構成する回路素子の設定値は、インダクタ２３が４００［ｎＨ］、第１のコンデンサ２４が５３［ｐＦ］、第２のコンデンサ２５が１６０［ｐＦ］である。
【００２５】
図３（ｂ）に示すように、比較例においてはトラップ帯域の幅が狭く、共振周波数における減衰量が約−４［ｄＢ］と少なくなっている。すなわち、比較例に係るトラップ回路１６は、トラップ帯域の幅が狭いためチューナ周波数特性からトラップ位置の近傍だけを部分的に減衰させることができるが、共振周波数における減衰量が少ないためチューナ周波数特性の妨害成分を効果的に抑制することができない。
【００２６】
次に、図４に示す本発明に係るトラップ回路のシミュレーション結果について説明する。本発明に係るトラップ回路１４は、比較例に係るトラップ回路１６のシミュレーション結果において減衰量を増加させるために、Ｌ成分を増加させたものである。具体的には、インダクタ２３に対して並列に第３のコンデンサ２６を接続することで、第１のコンデンサ２４の影響を受けることなく、インダクタ２３のＬ成分を大きく見せている。なお、本発明に係るトラップ回路１４を構成する回路素子の設定値は、インダクタ２３が４００［ｎＨ］、第１のコンデンサ２４が５３［ｐＦ］、第２のコンデンサ２５が２５［ｐＦ］、第３のコンデンサ２６が２２［ｐＦ］である（図２参照）。
【００２７】
図４に示すように、本発明に係るトラップ回路１４においては比較例と比較してトラップ帯域の幅を大きく広げることなく、共振周波数における減衰量を約−１４［ｄＢ］と増加させている。すなわち、チューナ周波数特性からトラップ位置の近傍だけを部分的に大きく減衰させることができると共に、チューナ周波数特性の妨害成分だけを効果的に抑制することが可能となる。
【００２８】
図５および図６を参照して、図２に示すトラップ回路をローパスフィルタとして使用した場合の具体例について説明する。図５は、図２に示すトラップ回路をローパスフィルタとして使用した場合の説明図であり、（ａ）は回路構成図、（ｂ）はシミュレーション結果をそれぞれ示している。図６は、ローパスフィルタ追加時のチューナ周波数特性図である。なお、ローパスフィルタ１８を構成する回路素子は図２に示す回路素子と同一の符号を付して説明する。
【００２９】
図５（ａ）に示すように、ローパスフィルタ１８は、図２に示すトラップ回路１４の入力側とグランドとの間に第４のコンデンサ２８を設けて構成されている。また、ローパスフィルタ１８を構成する回路素子の設定値は、インダクタ２３が４００［ｎＨ］、第１のコンデンサ２４が５３［ｐＦ］、第２のコンデンサ２５が２５［ｐＦ］、第３のコンデンサ２６が２２［ｐＦ］、第４のコンデンサ２８が５［ｐＦ］である。また、ローパスフィルタ１８の共振周波数は、希望波映像信号Ｐｎの低域側に隣接する下隣接音声信号Ｓｎ−１に合わせられている（図６参照）。
【００３０】
図５（ｂ）に示すように、ローパスフィルタ１８においてはトラップ帯域を狭めると共に、共振周波数における減衰量を約−１８［ｄＢ］と大きくしている。そして、図６に示すチューナ周波数特性において、トラップ位置からの立ち上がりが急峻となっているため、希望波映像信号Ｐｎの減衰をほとんど生じさせることなく、下隣接音声信号Ｓｎ−１だけを大きく減衰させている。これにより、下隣接音声信号Ｓｎ−１が希望波映像信号Ｐｎの近傍に位置していても、希望波映像信号Ｐｎに対する下隣接音声信号Ｓｎ−１による妨害を効果的に抑制することが可能となる。
【００３１】
以上のように、本実施の形態に係るトラップ回路１４によれば、インダクタ２３に第１のコンデンサ２４が直列に接続されることによりトラップ帯域の幅が狭められ、インダクタ２３に第３のコンデンサ２６が並列に接続されることにより第１のコンデンサ２４の影響を受けることなく減衰量を大きくとることができる。したがって、一定の減衰量を確保した状態でトラップ位置からの立ち上がりが急峻となるため、希望波チャネル信号の減衰量を抑えた状態で、希望波チャネル信号の近傍に位置する隣接チャネル信号を大きく減衰させることが可能となる。
【００３２】
また、インダクタ２３に第３のコンデンサ２６が並列に接続されることで、インダクタ２３のＬ成分を大きくみせているため、インダクタ２３のサイズを変更することなくＬ成分を大きくとることが可能となる。よって、中間周波帯域においても、インダクタ２３のＬ成分を大きくみせることができる。
【００３３】
なお、本実施の形態においては、インダクタ２３を空芯コイルとして説明したが、空芯コイル等の巻線型のインダクタに限らず、シート状の導体板を積層して構成した積層型インダクタ、渦巻状の導体パターンを印刷して構成した薄膜型インダクタとしてもよい。
【００３４】
また、本実施の形態においては、インダクタ２３が一定のインダクタンス値を有する構成としたが、インダクタンス値を可変可能に構成してもよい。この構成により、トラップ位置を調整すると共に、減衰量を調整することが可能となる。
【００３５】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００３６】
以上説明したように、本発明は、インダクタのサイズを変更することなく、希望波チャネル信号の減衰量を抑えた状態で隣接チャネル信号を減衰させることができるという効果を有し、特にテレビジョンチューナの隣接チャネル信号のトラップ回路に有用である。
【図面の簡単な説明】
【００３７】
【図１】本発明に係るトラップ回路の実施の形態を示す図であり、テレビジョンチューナのブロック図である。
【図２】本発明に係るトラップ回路の実施の形態を示す図であり、トラップ回路の回路構成図である。
【図３】比較例の説明図であり、（ａ）は比較例の回路構成図、（ｂ）は比較例によるシミュレーション結果である。
【図４】本発明に係るトラップ回路の実施の形態を示す図であり、図２に示すトラップ回路を回路モデルとしてトラップ特性をシミュレーションした結果である。
【図５】本発明に係るトラップ回路の実施の形態を示す図であり、（ａ）は図２に示すトラップ回路をローパスフィルタとして使用した回路構成図、（ｂ）はシミュレーション結果である。
【図６】本発明に係るトラップ回路の実施の形態を示す図であり、ローパスフィルタ追加時のチューナ周波数特性図である。
【図７】従来のトラップ回路の不使用時におけるチューナ周波数特性図である。
【図８】従来のトラップ回路の使用時におけるチューナ周波数特性図である。
【図９】従来のトラップ回路の使用時におけるチューナ周波数特性を改善するためのトラップ回路の回路構成図である。
【符号の説明】
【００３８】
１  テレビジョンチューナ
２  アンテナ同調回路
３  高周波増幅器
４  高周波同調回路
５  局部発振器
６  ミキサ
１１  中間周波回路
１２  ＩＦ同調回路
１３  中間周波増幅器
１４  トラップ回路
１８  ローパスフィルタ
２１  入力端子
２２  出力端子
２３  インダクタ
２４  第１のコンデンサ（第１の容量）
２５  第２のコンデンサ（第２の容量）
２６  第３のコンデンサ（第３の容量）
２８  第４のコンデンサ（第４の容量）
【図１】
2010124033.tif 000003
【図２】
2010124033.tif 000004
【図３】
2010124033.tif 000005
【図４】
2010124033.tif 000006
【図５】
2010124033.tif 000007
【図６】
2010124033.tif 000008
【図７】
2010124033.tif 000009
【図８】
2010124033.tif 000010
【図９】
2010124033.tif 000011